(57)【特許請求の範囲】
【請求項１】
光ディスクにデジタル記録された動画情報に基づく動画を再生する動画再生装置において、
装置を使用する特定の管理者ユーザおよび複数の通常使用者ユーザにそれぞれ予め設定された固有の管理者用パスワードおよび通常使用者パスワードや各種情報或いは種々のメニュー画面の表示部への表示指令などの入力を手動操作で行うための操作パネルと、
全ての前記ユーザの各々の前記パスワードと、ＩＤで個々に指定された前記光ディスク毎の各コンテンツとを個々に関連付けるとともに、それら各関連毎に個々に視聴制限の有無を設定した視聴制限情報が記憶されたＥＥＰＲＯＭと、
装置全体を制御する制御部と、を備え、
前記制御部は、
前記操作パネルから何れかの前記パスワードが入力された場合に、その入力されたパスワードと装置にセットされている光ディスクのＩＤに対応する各コンテンツとを関連付けた視聴制限情報を前記ＥＥＰＲＯＭから読み出して視聴制限の有無を判断したのち、視聴制限無しと判断した場合に限り該コンテンツを再生するようにディスクドライブを制御するとともに、視聴制限有りと判断した場合に当該光ディスクが単に再生不能である旨を前記表示部に表示させる制御のみを行い、
前記パスワードが入力されない場合に、装置にセットされている光ディスクの前記ＩＤに関連付けて前記ＥＥＰＲＯＭに記憶されている視聴制限情報における全てのユーザに対して視聴制限無しと設定されたコンテンツの有無を検索して、当該コンテンツが存在した場合に限りそのコンテンツを再生するよう制御し、
前記管理者用パスワードが入力された場合に限り、その後に前記操作パネルから入力する前記パスワードおよび視聴制限情報に関する新規設定内容または変更設定内容の入力を許容して前記ＥＥＰＲＯＭに記憶させる制御を行うことを特徴とする動画再生装置。
【請求項２】
記録媒体にデジタル記録された動画情報に基づく動画を再生する動画再生装置において、
装置を使用する特定の管理者ユーザおよび複数の通常使用者ユーザにそれぞれ予め設定された固有の管理者用パスワードおよび通常使用者パスワードや各種情報或いは種々のメニュー画面の表示部への表示指令などの入力を手動操作で行うための操作入力部と、
全ての前記ユーザの各々の前記パスワードと、ＩＤで個々に指定された前記記録媒体の各コンテンツとを個々に関連付けるとともに、それら各関連毎に個々に視聴制限の有無を設定した視聴制限情報が記憶された記憶部と、
装置全体を制御する制御部と、を備え、
前記制御部は、
前記操作入力部から入力された前記パスワードと装置にセットされている記録媒体のＩＤに対応する各コンテンツとを関連付けた視聴制限情報を前記記憶部から読み出して視聴制限の有無を判断したのち、視聴制限無しと判断した場合に限り該コンテンツを再生するようにディスクドライブを制御することを特徴とする動画再生装置。
【請求項３】
前記制御部は、入力されたパスワードと装置にセットされている記録媒体における各コンテンツとを関連付けた視聴制限情報を前記記憶部から読み出して視聴制限の有無を判断したのち、視聴制限有りと判断した場合に当該記録媒体が単に再生不能である旨を前記表示部に表示させる制御のみを行うことを特徴とする請求項２記載の動画再生装置。
【請求項４】
制御部は、前記パスワードが入力されない場合に、装置にセットされている記録媒体の前記ＩＤに関連付けて前記記憶部に記憶されている視聴制限情報における全てのユーザに対して視聴制限無しと設定されたコンテンツの有無を検索して、当該コンテンツが存在した場合に限りそのコンテンツを再生する制御を行うことを特徴とする請求項２または３に記載の動画再生装置。
【請求項５】
前記制御部は、前記管理者用パスワードが入力された場合に限り、その後に前記操作入力部から入力する前記パスワードおよび視聴制限情報に関する新規設定内容または変更設定内容の入力を許容して前記記憶部に記憶させる制御を行うことを特徴とする請求項２〜４の何れかに記載の動画再生装置。
【請求項６】
前記記憶部への記憶制限の登録形式は、装置を使用する特定の管理者ユーザおよび複数の通常使用者ユーザにそれぞれ予め設定された固有の管理者用パスワードおよび通常使用者パスワードと、ＩＤで個々に指定された前記記録媒体毎の各コンテンツとを個々に関連付けるとともに、それら各関連毎に個々に視聴制限の有無を設定した視聴制限情報として記憶する形式とすることを特徴とする請求項２〜５の何れかに記載の動画再生装置。
【発明の詳細な説明】
【０００１】
【発明の属する技術分野】
本発明は、記録媒体にデジタル記録された動画情報に基づいて動画を再生する動画再生装置に関するものである。
【０００２】
【従来の技術】
近年、動画情報の記録媒体としてＤＶＤ（Digital Versatile Disc）が普及してきている。ＤＶＤでは、ある年齢未満での成育に悪影響を与える可能性のある動画情報に対して視聴制限をかける機能がある。これは、ＤＶＤプレーヤにユーザの年齢を登録しておくと、視聴制限の内容に従って再生を禁止するものである。しかしながら、従来のＤＶＤプレーヤでは、複数のユーザが同一のＤＶＤプレーヤを使用することが念頭に置かれていなかったため、特定のユーザにとって有効であった視聴制限が別のユーザにとっては有効でない事態が発生していた。
【０００３】
そこで、特開２０００−３５４２３１号公報では、多人数で同一のＤＶＤプレーヤ等の映像記録再生装置を使用する場合に、各ユーザがパスワードを入力すると、最低年齢のユーザを基準に視聴制限を判定する映像記録再生装置が提案されている。
【０００４】
ところで、ＤＶＤの視聴制限にはレベルがあり、予め制作者によりレベルが登録されている。従って、ユーザは制作者が設定した視聴制限のレベルをそのまま受け入れることになるが、制作者側は、販売戦略などの理由によりレベルを低く設定していることが多い。そのため、視聴制限は実質的に機能していないのが現状である。
【０００５】
そこで、特開２０００−２８７１５５号公報では、ユーザが所望の視聴制限レベルを設定し、所定の視聴制限レベル以上の記録媒体の再生を不可能にする動画再生装置が提案されている。
【０００６】
【発明が解決しようとする課題】
しかしながら、上記の２０００−３５４２３１号公報においては、視聴制限のレベルは制作者が予め登録したレベルを使用しているので、ユーザが納得するレベルに設定されておらず、実質的に意味のない制限となっている。
【０００７】
また、上記の特開２０００−２８７１５５号公報においては、設定された視聴制限レベル、つまり年齢に基づいて視聴の可否を判定するので、複数のユーザが同一の動画再生装置を使用する場合には、年齢以外の理由でユーザ別に視聴の可否を設定することはできない。
【０００８】
本発明は、上記の問題点に鑑み、ユーザ別に視聴制限をかけることができる動画再生装置を提供することを目的とする。
【０００９】
【課題を解決するための手段】
上記目的を達成するために本発明は、光ディスクにデジタル記録された動画情報に基づく動画を再生する動画再生装置において、装置を使用する特定の管理者ユーザおよび複数の通常使用者ユーザにそれぞれ予め設定された固有の管理者用パスワードおよび通常使用者パスワードや各種情報或いは種々のメニュー画面の表示部への表示指令などの入力を手動操作で行うための操作パネルと、全ての前記ユーザの各々の前記パスワードと、ＩＤで個々に指定された前記光ディスク毎の各コンテンツとを個々に関連付けるとともに、それら各関連毎に個々に視聴制限の有無を設定した視聴制限情報が記憶されたＥＥＰＲＯＭと、装置全体を制御する制御部と、を備え、前記制御部が、前記操作パネルから何れかの前記パスワードが入力された場合に、その入力されたパスワードと装置にセットされている光ディスクのＩＤに対応する各コンテンツとを関連付けた視聴制限情報を前記ＥＥＰＲＯＭから読み出して視聴制限の有無を判断したのち、視聴制限無しと判断した場合に限り該コンテンツを再生するようにディスクドライブを制御するとともに、視聴制限有りと判断した場合に当該光ディスクが単に再生不能である旨を前記表示部に表示させる制御のみを行い、前記パスワードが入力されない場合に、装置にセットされている光ディスクの前記ＩＤに関連付けて前記ＥＥＰＲＯＭに記憶されている視聴制限情報における全てのユーザに対して視聴制限無しと設定されたコンテンツの有無を検索して、当該コンテンツが存在した場合に限りそのコンテンツを再生するよう制御し、前記管理者用パスワードが入力された場合に限り、その後に前記操作パネルから入力する前記パスワードおよび視聴制限情報に関する新規設定内容または変更設定内容の入力を許容して前記ＥＥＰＲＯＭに記憶させる制御を行うことを特徴とする。
【００１０】
この構成によると、管理者が指定するユーザにだけ指定のコンテンツを視聴可能に設定登録することで、従来の年齢による視聴制限では制限不可能であったユーザ別の視聴制限が可能となる。また、暴力シーン等を見せたくないユーザに視聴制限がかけられていることを意識させないで済む。そして、複数のユーザが一緒に視聴する場合や登録されていないユーザが視聴する場合でも、視聴制限の設定内容を反映させることができる。更に、管理者のみが、新しいコンテンツの視聴制限を設定したり、状況に応じていつでも既存のコンテンツの視聴制限を変更することができる。
【００１１】
また、本発明は、記録媒体にデジタル記録された動画情報に基づく動画を再生する動画再生装置において、装置を使用する特定の管理者ユーザおよび複数の通常使用者ユーザにそれぞれ予め設定された固有の管理者用パスワードおよび通常使用者パスワードや各種情報或いは種々のメニュー画面の表示部への表示指令などの入力を手動操作で行うための操作入力部と、全ての前記ユーザの各々の前記パスワードと、ＩＤで個々に指定された前記記録媒体の各コンテンツとを個々に関連付けるとともに、それら各関連毎に個々に視聴制限の有無を設定した視聴制限情報が記憶された記憶部と、装置全体を制御する制御部と、を備え、前記制御部が、前記操作入力部から入力された前記パスワードと装置にセットされている記録媒体のＩＤに対応する各コンテンツとを関連付けた視聴制限情報を前記記憶部から読み出して視聴制限の有無を判断したのち、視聴制限無しと判断した場合に限り該コンテンツを再生するようにディスクドライブを制御することを特徴とする。
【００１２】
この構成によると、管理者を決め、管理者が指定するユーザにだけ指定のコンテンツを視聴可能に設定登録することで、従来の年齢による視聴制限では制限不可能であったユーザ別の視聴制限が可能となる。
【００１３】
なお、上記の動画再生装置において、前記制御部は、入力されたパスワードと装置にセットされている記録媒体における各コンテンツとを関連付けた視聴制限情報を前記記憶部から読み出して視聴制限の有無を判断したのち、視聴制限有りと判断した場合に当該記録媒体が単に再生不能である旨を前記表示部に表示させる制御のみを行う制御機能を有していることが好ましい。これにより、暴力シーンを見せたくないユーザに視聴制限がかけられていることを意識させないで済む。
【００１４】
また、上記の動画再生装置において、制御部は、前記パスワードが入力されない場合に、装置にセットされている記録媒体の前記ＩＤに関連付けて前記記憶部に記憶されている視聴制限情報における全てのユーザに対して視聴制限無しと設定されたコンテンツの有無を検索して、当該コンテンツが存在した場合に限りそのコンテンツを再生する制御を行うことが望ましい。これにより、複数のユーザが一緒に視聴する場合や登録されていないユーザが視聴する場合でも、視聴制限の設定内容を反映させることができる。
【００１５】
また、上記の動画再生装置において、前記制御部は、前記管理者用パスワードが入力された場合に限り、その後に前記操作入力部から入力する前記パスワードおよび視聴制限情報に関する新規設定内容または変更設定内容の入力を許容して前記記憶部に記憶させる制御を行うことが望ましい。これにより、管理者のみが、新しいコンテンツの視聴制限をしたり、状況に応じていつでも既存のコンテンツの視聴制限を変更することができる。
【００１６】
また、上記の動画再生装置において、前記記憶部への記憶制限の登録形式は、装置を使用する特定の管理者ユーザおよび複数の通常使用者ユーザにそれぞれ予め設定された固有の管理者用パスワードおよび通常使用者パスワードと、ＩＤで個々に指定された前記記録媒体毎の各コンテンツとを個々に関連付けるとともに、それら各関連毎に個々に視聴制限の有無を設定した視聴制限情報として記憶する形式とすることができる。
【００１７】
【発明の実施の形態】
図１は、ＤＶＤプレーヤの概略構成を示すブロック図である。ＤＶＤプレーヤ１０は、光ディスクであるＤＶＤにデジタル記録された動画情報をデータ・ビット・ストリームとして読み出すディスクドライブ２０と、読み出されたデータ・ビット・ストリームから圧縮変換前の動画情報と音声情報とを復元して動画と音声を再生するデコーダ３０と、パスワードや視聴制限等の所定のユーザ設定情報を記憶する記憶部としてのＥＥＰＲＯＭ３１と、リモコン４０からの赤外線の明滅信号による操作指示を入力する受光回路３２と、ユーザにより入力操作が行われる操作パネル３３と、ＤＶＤプレーヤ１０全体を制御する制御部３４とから構成される。
【００１８】
ディスクドライブ２０は、フォーカスサーボ（不図示）等に対して制御信号を送出することにより光ピックアップ２１を所定位置に駆動させるサーボ信号処理部２２と、光ピックアップ２１からの読み取り信号を増幅して所定の制御信号を生成するＲＦアンプ２４と、増幅された信号の中から記録されているデジタルデータを復元してデータ・ビット・ストリームに変換してデコーダ３０へ出力するディスク信号処理部２５とから構成される。
【００１９】
デコーダ３０は、データ・ビット・ストリームをビデオ成分とオーディオ成分とに分離するとともにＭＰＥＧ復調し、ビデオ信号と音声信号とに復元して同期させて出力する。
【００２０】
制御部３４の内部には、演算処理の主体となるＣＰＵ（不図示）とともに、所定のプログラムが記録されたＲＯＭ（不図示）、ワーク用のＲＡＭ（不図示）、外部機器を制御するための制御回路（不図示）等が備えられる。
【００２１】
また、リモコン４０には、外部接続された表示装置（不図示）に表示されるメニュー画面上で所望の項目にカーソルを移動させるカーソルキー４１、パスワード等を入力するテンキー４２、決定キー４３等が配設される。なお、各種キーは操作パネル３３にも配設され、操作により同様の作用を構成する。
【００２２】
次に、視聴制限の設定方法について説明する。図２は、視聴制限を設定するときのＤＶＤプレーヤ１０の動作を示すフローチャートである。ＤＶＤプレーヤ１０の管理者（ユーザの中で視聴制限の設定をする者）は、リモコン４０又は操作パネル３３を操作して予め設定された自分のパスワードを入力する。それによりステップＳ１０において、ＤＶＤプレーヤ１０は入力されたパスワードとＥＥＰＲＯＭ３１に登録されているパスワードから入力者が管理者であることを認識する。続いてステップＳ１１へ進んで、セットされているＤＶＤ５０のＩＤを認識する。次にステップＳ１２へ進んで、再生や視聴制限設定等が選択可能なメニュー画面（不図示）を出力する。
【００２３】
ユーザによりメニュー画面上で項目が選択されると、ステップＳ１３へ進んで視聴制限設定が選択されたか否かを判別する。ステップＳ１３において、視聴制限設定の項目が選択されると、ステップＳ１４へ進んで図３に示す視聴制限設定画面を出力する。図３では、ＤＶＤ５０のコンテンツ名を「ａａａ」、ユーザＡを管理者（以下、管理者Ａと記すことがある）、ユーザＢ〜Ｄを通常の使用者、ユーザＥをＡ〜Ｄ全員で使用するときの使用者としている。これらユーザＡ〜Ｄは予め管理者Ａによって設定されており、それぞれにパスワードが与えられている。また、ユーザＥは自動的に作成され、パスワードは与えられていない。
【００２４】
次に、ステップＳ１４からステップＳ１５へ進んで管理者Ａの操作に基づいて設定された視聴制限の有無をＥＥＰＲＯＭ３１に記憶する。このときの管理者Ａの具体的な操作を説明する。まず、リモコン４０のカーソルキー４１を操作してユーザ毎に「視聴可」又は「視聴不可」を選択する。ここでは、ユーザＢ〜Ｄについて選択すればよい。ユーザＡは自動的に「視聴可」に設定され、ユーザＥはユーザＢ〜Ｄに１つでも「視聴不可」があれば「視聴不可」に設定され、全て「視聴可」であれば「視聴可」に設定されるものとする。なお、図３ではユーザＤが「視聴不可」と選択されているのでユーザＥも「視聴不可」に設定される。そして、全てのユーザの設定が完了すれば決定キー４３を押下する。これにより、視聴制限の設定内容がＥＥＰＲＯＭ３１に記憶される。
【００２５】
図４は、ＥＥＰＲＯＭ３１に記憶されている視聴制限の内容を示す図である。登録されているユーザＡ〜Ｅに対してコンテンツ「ａａａ」〜「ｄｄｄ」の視聴制限がある場合に「×」で記されている。上記において視聴制限の設定方法を記したが、同様にして視聴制限を解除することもできる。その際、例えば、図４でユーザＢのコンテンツ「ｄｄｄ」に対する視聴制限が解除されると、自動的にユーザＥの視聴制限も解除される。
【００２６】
図４では、ユーザ名に対してコンテンツ名を用いてＥＥＰＲＯＭ３１に記憶したが、パスワードから視聴制限のあるＤＶＤを特定できればどのような登録形式でもよく、例えば、パスワードに対して各ＤＶＤのＩＤを用いて記憶するようにしてもよい。また、ユーザ名又はパスワードに対して視聴制限のあるＤＶＤのＩＤだけを記憶するようにしてもよい。
【００２７】
このように、従来の年齢による視聴制限では制限不可能であった個人別の制限が可能となる。例えば、ユーザの年齢がＢ＞Ｃ＞Ｄであるとすると、従来技術では図４のコンテンツ「ｂｂｂ」の視聴制限のようにユーザＢより低い年齢のユーザＣ及びＤに視聴制限をかけることはできても、コンテンツ「ｄｄｄ」の視聴制限のようにユーザＢに視聴制限をかけて、年齢の低いユーザＣ及びＤに視聴制限をかけない設定はできなかった。ＤＶＤプレーヤ１０によれば、それが可能となり、管理者Ａが指定するユーザにだけ指定のコンテンツを視聴可能とすることができる。
【００２８】
一方、以下にコンテンツを再生する際のユーザの操作及びＤＶＤプレーヤ１０の動作を説明する。一例として、ユーザＣがＤＶＤプレーヤ１０を使用する場合について説明する。図５に、再生時のＤＶＤプレーヤ１０の動作のフローチャートを示す。まず、ユーザＣによりパスワードが入力されると、ステップＳ２０においてＤＶＤプレーヤ１０は入力されたパスワードとＥＥＰＲＯＭ３１に登録されているパスワードから入力者がユーザＣであることを認識する。続いてステップＳ２１へ進んで、セットされているＤＶＤ５０のＩＤを認識する。次にステップＳ２２へ進んで、図４に示した視聴制限の登録内容のユーザＣの視聴制限に基づいて、セットされているＤＶＤ５０の視聴の可否を判断する。
【００２９】
ステップＳ２２において、視聴可（コンテンツ「ｂｂｂ」以外のとき）と判断されると、ステップＳ２３へ進んでＤＶＤ５０の再生を開始する。一方、ステップＳ２２において、視聴不可（コンテンツ「ｂｂｂ」のとき）と判断されると、ステップＳ２４へ進んで「このディスクは認識できません」等のメッセージを出力し、再生は行わない。なお、ステップＳ２４において出力するメッセージはユーザが視聴制限をかけられていることを知ることがないような内容であることが望ましい。これにより、暴力シーン等を見せたくないユーザに視聴制限がかけられていることを意識させないで済む。
【００３０】
なお、コンテンツを再生する際に、ユーザのパスワードの入力がないと、ＤＶＤプレーヤ１０はユーザＥであると判断する。
【００３１】
なお、管理者によって未だ視聴制限の設定がされていないＤＶＤ、つまりＥＥＰＲＯＭ３１に記憶されていないＤＶＤが管理者以外のユーザによりセットされた場合は、任意に視聴可能としてもよく、又は全て視聴不可としてもよい。これは予めＤＶＤプレーヤ１０を何れかに設定しておけばよい。
【００３２】
【発明の効果】
本発明によれば、管理者を決め、管理者が指定するユーザにだけ指定のコンテンツを視聴可能に設定登録することにより、本動画再生装置が視聴制限なしと判断した場合にのみコンテンツが再生できる。従って、従来の年齢による視聴制限では制限不可能であったユーザ別の視聴制限が可能となる。
【００３３】
また本発明の動画再生装置によれば、視聴制限ありと判断された場合に再生できない旨を外部表示装置に表示させることにより、暴力シーン等を見せたくないユーザに視聴制限がかけられていることを意識させないで済む。
【００３４】
また本発明の動画再生装置によれば、パスワードが入力されない場合、登録されている全てのユーザを通じて視聴制限のないコンテンツのみ再生可能とすることにより、複数のユーザが一緒に視聴する場合や登録されていないユーザが視聴する場合でも、視聴制限の設定内容を反映させることができる。
【００３５】
また本発明の動画再生装置によれば、管理用のパスワードが入力された場合、視聴制限の有無を編集可能とすることにより、管理者のみが、新しいコンテンツの視聴制限を設定したり、状況に応じていつでも既存のコンテンツの視聴制限を変更することができる。
【図面の簡単な説明】
【図１】    本発明のＤＶＤプレーヤの概略構成を示すブロック図である。
【図２】    視聴制限を設定するときのＤＶＤプレーヤの動作を示すフローチャートである。
【図３】    ＤＶＤプレーヤから出力される視聴制限設定画面を示す図である。
【図４】    ＥＥＰＲＯＭに記憶されている視聴制限の内容を示す図である。
【図５】    再生時のＤＶＤプレーヤの動作を示すフローチャートである。
【符号の説明】
１０    ＤＶＤプレーヤ（動画再生装置）
２０    ディスクドライブ（再生手段）
３１    ＥＥＰＲＯＭ（記憶部）
３３    操作パネル（操作部）
３４    制御部
【図１】
0003871121.tif 000002
【図２】
0003871121.tif 000003
【図３】
0003871121.tif 000004
【図４】
0003871121.tif 000005
【図５】
0003871121.tif 000006